(57)【要約】【課題】    高活性で、分子量分布の狭い脂肪族アルコールアルキレンオキサイドを付加物の製造に使用できるアルコキシ化触媒及びそれを用いて製造した脂肪族アルコールのアルキレンオキサイド付加物を提供する。【解決手段】下記一般式(1)で表される有機金属化合物から選ばれる１種または２種以上であることを特徴とする脂肪族アルコール（Ｂ）とアルキレンオキサイド（Ｃ）とのアルコキシ化触媒及びそれを用いた製造法。      Ｍ［ＲｆＳＯ３］ｎ          （１）［一般式（１）中、ＭはＣｕ，Ｃｄ，Ｔｉ，Ｈｆ，Ｃｒ，Ｍｏ，Ｍｎ，Ｆｅ，Ｐｄ、及び希土類金属から選ばれる元素を示し、ｎはＭ元素の原子価に等しい整数値を示す。Ｒｆは炭素数１から１６のパーフルオロアルキル基を表す。］【選択図】  なし【特許請求の範囲】
【請求項１】
下記一般式（１）で表される有機金属塩（Ａ）の１種または２種以上からなることを特徴とする、脂肪族アルコール（Ｂ）とアルキレンオキサイド（Ｃ）とのアルコキシ化反応触媒。
Ｍ［ＲｆＳＯ３］ｎ              （１）
［式中、Ｍは銅（Ｃｕ），カドミウム（Ｃｄ），チタン（Ｔｉ），ハフニウム（Ｈｆ），クロム（Ｃｒ），モリブデン（Ｍｏ），マンガン（Ｍｎ），鉄（Ｆｅ），パラジウム（Ｐｄ）及び希土類金属原子を示し、ｎはＭの原子価に等しい整数値を示す。Ｒｆは炭素数１から１６のパーフルオロアルキル基を表す。］
【請求項２】
前記一般式（１）におけるＭが、希土類金属原子である請求項１記載のアルコキシ化反応触媒。
【請求項３】
前記希土類金属原子が、スカンジュウム（Ｓｃ）、イットリウム（Ｙ）、及びランタン（Ｌａ）からなる群より選ばれる少なくとも１種である、請求項２記載のアルコキシ化反応触媒。
【請求項４】
請求項１記載の金属触媒の１種または２種以上の存在下、前記（Ｂ）に前記（Ｃ）を付加重合させることを特徴とする脂肪族アルコールアルキレンオキサイド付加物の製造方法。
【請求項５】
前記（Ｂ）が炭素数１〜２５の脂肪族アルコールである請求項４記載の製造方法。
【請求項６】
前記（Ｃ）がエチレンオキサイドである請求項４または５記載の製造方法。
【請求項７】
請求項４の製造法により得られてなる脂肪族アルコールアルキレンオキサイド付加物。
【請求項８】
Ｗｅｉｂｕｌｌの分布定数ｃが０．２〜０．７である、請求項７記載の脂肪族アルコールアルキレンオキサイド付加物。
【発明の詳細な説明】
【技術分野】
【０００１】
本発明は、脂肪族アルコールのアルキレンオキサイド付加物の製造法に関する。更に詳しくは、脂肪族アルコールにアルキレンオキサイドを付加重合させるための触媒とアルキレンオキサイド付加物の製造法に関する。
【背景技術】
【０００２】
脂肪族アルコール等の活性水素原子を含有する有機化合物に塩基性触媒または酸性触媒の存在下でアルキレンオキサイドを付加重合させて得られる付加重合体は、各種化学品の原料等として知られている。塩基性触媒としては、通常水酸化ナトリウム、及び水酸化カリウム等のアルカリ金属酸化物、複合金属酸化物、並びにジエチルアミン及びトリエチルアミン等のアミン類が用いられる。また、酸触媒としては、通常、硫酸、塩酸、及び燐酸等の鉱酸、並びにその金属塩が用いられる。
【０００３】
これら酸または塩基性触媒を用いて脂肪族アルコールアルキレンオキサイド付加体を製造する場合、反応生成物中に未反応原料、例えば脂肪族系アルコール等の活性水素原子含有有機化合物が残留し、更にこれらの反応で得られる付加重合体の付加オキシアルキレン分布が通常の正規分散せず、全体にブロードに分散してしまうという問題がある。これらアルキレンオキサイド付加物を界面活性剤等に使用した場合、残留アルコールによる臭気や、分子量がブロードであることから界面活性剤機能が十分に発現されない等の問題がある。            
【０００４】
脂肪族アルコールアルキレンオキサイド付加物のオキシアルキレン基付加数分布状態に関しては、Ｗｅｉｂｕｌｌの分布則から導かれる下記の式（２）の分布定数cがナロー化度指標として定義される。分布定数ｃの値が小さい、すなわち未反応の脂肪族系アルコールの含有量が少ないほど分子量分布が狭いことを意味する。
ｃ＝(ｖ＋ｎ0/ｎ00−１)／[Ｌｎ(ｎ00/ｎ0)＋ｎ0/ｎ00−１] （２）
これらの式で、Ｌｎ(ｎ00／ｎ0)は(ｎ00／ｎ0)の自然対数を意味し、ｖは脂肪族アルコール１モル当たりに付加したアルキレンオキサイドの平均付加モル数を表し、ｎ00は反応に用いた脂肪族アルコールのモル数、ｎ0は未反応の脂肪族アルコールのモル数を表す。なお、この式は、未反応の脂肪族アルコールの量が検出限界（０．００１質量％）以上の場合に適用される式である。
水酸化カリウム等のアルカリ金属酸化物を用いた製造方法では、得られたアルキレンオキサイド付加体のｃは５以上になる。また複合金属酸化物をアルコキシ化触媒として用いた場合でも、アルキレンオキサイド付加体のｃは１以下にならない。（特許文献１，２参照）また、このｃを１以下にするために、アルキレンオキサイド付加の触媒として、過塩素酸塩類を用いた方法が提案されている。（特許文献３参照）
【０００５】
【特許文献１】特開平１−１６４４３７号公報
【特許文献２】特開３−２４２２４２号公報
【特許文献３】米国特許第４，１１２，２３１号明細書
【発明の開示】
【発明が解決しようとする課題】
【０００６】
しかし、上記製造方法ではｃは１以下になるが、触媒の反応活性が小さく反応時間が長くなり、触媒量を増加して反応時間を短縮させようとすると、生成物の着色が著しく、製品の外観を悪化させたり、生成物のアルデヒド含量が多くなる等の問題がある。
【課題を解決するための手段】
【０００７】
本発明者は、上記課題について鋭意検討した結果、パーフルオロアルキルスルホン酸金属塩をアルコキシ化触媒として使用すると、高活性で反応時間が短く、脂肪族アルコールに高モル数のアルキレンオキサイドを付加重合でき、さらに狭い分子量分布（上記分布定数ｃが、０．７未満）の脂肪族アルコールのアルキレンオキサイド付加体が得られることを見いだし、本発明を完成するに至った。
すなわち、本発明は、
（Ｉ）下記一般式（１）で表される有機金属塩（Ａ）の１種または２種以上からなることを特徴とする、脂肪族アルコール（Ｂ）とアルキレンオキサイド（Ｃ）とのアルコキシ化反応触媒
Ｍ［ＲｆＳＯ３］ｎ          （１）
［式中、Ｍは銅（Ｃｕ），カドミウム（Ｃｄ），チタン（Ｔｉ），ハフニウム（Ｈｆ），クロム（Ｃｒ），モリブデン（Ｍｏ），マンガン（Ｍｎ），鉄（Ｆｅ），パラジウム（Ｐｄ）及び希土類金属原子示し、ｎはＭ元素の原子価に等しい整数値を示す。Ｒｆは炭素数１から１６のパーフルオロアルキル基を表す。］；
（ＩＩ）一般式(1)で有機金属塩（Ａ）の１種または２種以上の存在下、（Ｂ）に（Ｃ）を付加させることを特徴とする脂肪族アルコールアルキレンオキサイド付加物の製造方法；
（ＩＩＩ）該製造法で得られる分子量分布の狭い脂肪族アルコールアルキレンオキサイド付加物；である。
【発明の効果】
【０００８】
本発明のアルコキシ化反応触媒は下記の効果を奏する。
（１）触媒が高活性のために、反応時間が大幅に短くすることができ、高モル数のアルキレンオキサイドを付加できる。
（２）狭い分子量分布（ｃ＜０．７）のアルキレンオキサイド付加体が得られる。
（３）未反応アルコールが少なく、低臭気のアルキレンオキサイドが得られる。
【発明を実施するための最良の形態】
【０００９】
本発明のアルコキシ化触媒は、下記一般式（１）で表される。
Ｍ［ＲｆＳＯ３］ｎ          （１）
式中、金属（Ｍ）は、銅（Ｃｕ），カドミウム（Ｃｄ），チタン（Ｔｉ），ハフニウム（Ｈｆ），クロム（Ｃｒ），モリブデン（Ｍｏ），マンガン（Ｍｎ），鉄（Ｆｅ），パラジウム（Ｐｄ）及び希土類金属原子から選ばれる原子を示す。
これらの金属原子のうち、好ましくは、Ｃｕ，Ｃｄ，Ｔｉ，Ｃｒ，Ｆｅ、および希土類原子（例えば、スカンジュウム（Ｓｃ）、イットリウム（Ｙ）、及びランタン（Ｌａ）等）、さらに好ましくはＣｕ，Ｃｄ、Ｃｒ，Ｔｉ、Ｆｅ、Ｓｃ、及びＬａであり、最も好ましくはＴｉ、Ｆｅ、Ｓｃである。
【００１０】
ＲｆＳＯ３はパ−フルオロアルキルスルホン酸基であり、Ｒｆは炭素数１から１６のパーフルオロアルキル基を表す。具体的には、トリフルオロメタンスルホン酸基、ペンタフルオロエタンスルホン酸基、ヘプタフルオロプロパンスルホン酸基、ノナフルオロブタンスルホン酸基、ウンデカフルオロペンタンスルホン酸基、トリデカフルオロヘキサンスルホン酸基、ペンタデカフルオロヘプタンスルホン酸基、ヘプタデカフルオロオクタンスルホン酸基から選ばれた同一あるいは異なったパーフルオロアルキルスルホン酸基を挙げることができる。これらＲｆＳＯ３うち、好ましくはトリフルオロメタンスルホン酸基、ペンタフルオロエタンスルホン酸基、ヘプタフルオロプロパンスルホン酸基、ノナフルオロブタンスルホン酸基、より好ましくはトリフルオロメタンスルホン酸基、ペンタフルオロエタンスルホン酸基である。
【００１１】
本発明の金属触媒は公知の合成法により得ることができ、例えば、Ｔ．Ｍｕｋａｉｙａｍａ，Ｎ．Ｉｗａｓａｗａ，Ｒ.Ｗ.Ｓｔｅｖｅｎｓ，Ｔ．Ｈａｇａ，Ｔｅｔｒａｈｅｄｒｏｎ，４０，１３８１（１９８４）に詳細に記載されている方法で合成できる。
【００１２】
次に合成法の一例を記載するが、これに限定されるものではない。
酸化スカンジュウムを１２〜１６Ｎのトリフルオロメタンスルホン酸溶液に、酸化スカンジュウムがスカンジュウムトリフルオロメタンスルホン酸塩（スカンジュウムトリフラート）として溶解するに必要な当量の０．９５〜２．００倍量を加え、沸点温度１００〜１５０℃で１〜３時間溶解し、スカンジュウムトリフラートを得た。このようにして得られた水溶液を、エバポレーターの使用により、温度４０〜８０℃、真空度５０〜２５０トールにて剰余水の低温真空蒸発を行ったところ、１時間程度で白色固形物が得られた。さらに、温度１００〜３００℃、真空度１０〜１０−２トールにて２４時間高温真空乾燥を行い、スカンジュウムトリフラートの白色粉末を得た後、窒素ガスにて密封した。スカンジュウムトリフラートが得られた。
上記の方法により得られた金属触媒の具体例を表１に記載するが、これらに限定されるものではない。得られたスカンジュウムトリフラートの組成は原子吸光法により測定される。
【００１３】
【表１】
2005305280.tif 000002
【００１４】
これらのうち、好ましいのは上記表のＮｏ.１、２、４、７、８、１０、１１、より好ましいのは、Ｎｏ.１、２、４、７、１０、特に好ましいのは、Ｎｏ．１、４、１０である。
【００１５】
本発明のもう一つの発明は、上記の有機金属塩（Ａ）の少なくとも１種以上の存在下、アルキレンオキサイド（Ｃ）を脂肪族アルコール（Ｂ）に開環付加重合させてなる脂肪族アルコールアルキレンオキサイド付加物（Ｄ）の製造方法である。
【００１６】
本発明における脂肪族アルコール（Ｂ）としては、炭素数１〜２５の脂肪族アルコールが好ましく、さらに好ましくは炭素数１〜２２、特に好ましくは炭素数１〜１８の脂肪族アルコールである。これらは直鎖または分岐アルコールであっても、一価または二価以上のアルコールであってもよい。またこれらアルコールは、天然アルコールでも合成アルコール（例えば、チーグラーアルコール、オキソアルコールなど）でもよい。
【００１７】
一価アルコールの具体例としては、メタノール、エタノール、ｎ−プロパノール、ブタノール、ペンチルアルコール、ヘキシルアルコール、ヘプチルアルコール、オクチルアルコール、ノニルアルコール、デシルアルコール、ウンデシルアルコール、ドデシルアルコール、トリデシルアルコール、テトラデシルアルコール、ヘキサデシルアルコール、オクタデシルアルコール、ノナデシルアルコールなどの飽和脂肪族アルコール；プロペニルアルコール、ブテニルアルコール、１−ペンテニルアルコール、１−オクテニルアルコール、１−デセニルアルコール、１−ドデセニルアルコール、トリデセニルアルコール、ペンタデセニルアルコール、オレイルアルコール、ガドレイルアルコール、リノレイルアルコールなどの不飽和脂肪族アルコール；メチルシクロヘキシルアルコール、エチルシクロヘキシルアルコール、ｎ−プロピルシクロヘキシルアルコール、オクチルシクロヘキシルアルコール、ノニルシクロヘキシルアルコール、アダマンチルアルコールなどの脂環式アルコールが挙げられる。
【００１８】
多価アルコールの具体例としては、２価アルコール（エチレングリコール、プロピレングリコール、１，３−又は１，４−ブタンジオール、１，６−ヘキサンジオール及びネオペンチルグリコール等のアルキレングリコール；並びにシクロヘキサンジオール及びシクロヘキサンジメタノール等のシクロアルキレングリコール等）、３価アルコール（グリセリン、トリメチロールプロパン、トリメチロールエタン及びヘキサントリオール等のアルカントリオール等）；４〜８価の多価アルコール（ペンタエリスリトール、ソルビトール、マンニトール、ソルビタン等のアルカンポリオールの分子内脱水物、ジグリセリン及びジペンタエリスリトール等のアルカンポリオールの分子間脱水物；並びにショ糖、グルコース、マンノース、フルクトース及びメチルグルコシド等の糖類及びその誘導体）；が挙げられる。
これらアルコールのうち、ナロー化度の観点から、一価の脂肪族アルコールが好ましく、さらに好ましくは一価の１級または２級アルコールであり、特に好ましくは一価の１級アルコールである。特に好ましいものの具体例としては、ドデシルアルコール、トリデシルアルコール、テトラデシルアルコール、ヘキサデシルアルコール、オクタデシルアルコールが挙げられる。
【００１９】
本発明において、アルキレンオキサイド（Ｃ）としては、好ましくは炭素数２〜８、とくに好ましくは炭素数２〜６のアルキレンオキサイドである。好ましいものの具体例としては、例えば、エチレンオキサイド（以下、ＥＯと略記）、プロピレンオキサイド（以下、ＰＯと略記）、１，２−または２，３−ブチレンオキサイド、テトラヒドロフラン、スチレンオキサイドなどが挙げられる。さらに好ましいものはＥＯ、ＰＯであり、特に好ましいものはＥＯである。
【００２０】
（Ａ）の使用量としては、反応速度と経済性の点から、（Ｂ）と（Ｃ）の合計１００質量部に対して、０．００１〜１質量部が好ましい。さらに好ましくは０．００３〜０．８質量部、特に好ましくは０．００５〜０．５質量部である。
（Ｃ）の（Ｂ）に対する付加モル数は、ナロー化度の観点から、平均１〜１６０が好ましく、さらに好ましくは平均１〜８０である。
【００２１】
（Ｂ）と（Ｃ）を反応させる場合の反応条件としては、例えば、（Ｂ）と（Ａ）を混合し、窒素置換を行った後、−０．８〜５ｋｇｆ／ｃｍ２の圧力で、８０〜２００℃の温度で（Ｃ）を導入し、所定量の（Ｃ）を投入後、８０〜２００℃で反応系内の圧力が平衡になるまで熟成を行う方法などが挙げられる。
【００２２】
このようにして得られる脂肪族アルコールアルキレンオキサイド付加物（Ｄ）の重量平均分子量（Ｍｗ）は、好ましくは７６〜７、４００、さらに好ましくは７６〜３，９００である。特に好ましいは７６〜１，２５０である。Ｍｗがこの範囲にあると浸透力などの界面活性能が特に良好であり好ましい。  本発明において、分子量はゲルパーミエーションクロマトグラフ（ＧＰＣ）による測定値である。
【００２３】
（Ｄ）において、Ｗｅｉｂｕｌｌの分布則により導かれる式（２）から計算されるナロー化度指標である分布定数cは、０．２〜０．７であることが好ましく、さらに好ましくは０．２〜０．６５、特に好ましくは０．３〜０．６である。この値が小さい程、未反応のアルコール含量が少なく、かつ分子量分布が狭いことを意味する。
【００２４】
本発明の触媒は高活性であるため、本発明の製造法により、反応時間が大幅に短くすることができる。しかも脂肪族アルコールに高モル数のアルキレンオキサイドを付加重合でき、さらに、高ナロー化度（分布定数ｃが０．７未満）の脂肪族アルコールのアルキレンオキサイド付加物（Ｄ）が得られる。
【００２５】
反応させて得られた（Ｄ）はそのまま、あるいはｐＨを調整することにより各種用途に使用することが可能であり、目的に応じて、例えば［「キョーワード６００」協和化学工業(株)製］等の吸着剤で吸着処理後、ろ過操作で重合物から触媒を除去することが出来る。この際、必要によりろ過助剤としてケイソウ土系ろ過助剤［例えば昭和化学工業(株)製のラヂオライト等］を用いることによりろ過操作に要する時間を短縮することも可能である。
【００２６】
本発明の製造方法で得られる（Ｄ）は、未反応の脂肪族アルコール含有量が少ないため、臭気改良などの点で、例えば低臭気の硫酸化物、カルボキシメチル化物などのアニオン活性剤を得る際の中間体として用いることができる。また、前述の乳化剤、分散剤などの用途にも、もちろん有用である。
【００２７】
［実施例］
以下、実施例により本発明をさらに詳細に説明するが、本発明はこれに限定されるものではない。また、部は質量部、％は質量％を示す。
【００２８】
ＧＰＣによる分子量の測定条件は次の通り。
《ＧＰＣの測定条件》
機種 ：ＨＬＣ−８１２０（東ソー株式会社製）
カラムＴＳＫ  ｇｅｌ  ＳｕｐｅｒＨ４０００
ＴＳＫ  ｇｅｌ  ＳｕｐｅｒＨ３０００
ＴＳＫ  ｇｅｌ  ＳｕｐｅｒＨ２０００
（いずれも東ソー株式会社製）
カラム温度：４０℃  検出器：ＲＩ
溶媒：テトラヒドロフラン
流速：０．６ｍｌ／分
試料濃度：０．２５％
注入量：１０μｌ
標準：ポリオキシエチレングリコール
（東ソー株式会社製；ＴＳＫ  ＳＴＡＮＤＡＲＤ
ＰＯＬＹＥＴＨＹＬＥＮＥ  ＯＸＩＤＥ）
データ処理装置：ＳＣ−８０２０（東ソー株式会社製）
【００２９】
ガスクロマトグラフィー（以下ＧＣと略記）による未反応脂肪族アルコール濃度の測定は次のとおりである。
《ＧＣの測定条件》
機種：ガスクロマトグラフ  ＧＣ−１４Ｂ（島津製作所製）
検出器：ＦＩＤ
カラム：ガラスカラム（内径＝約３ｍｍ，長さ＝約２ｍ）
カラム充填剤：シリコンＧＥ  ＳＥ−３０  ５％
カラム温度：９０℃から２８０℃まで昇温。昇温速度＝４℃／分
キャリアガス：窒素
試料：５０％アセトン溶液
注入量：１μｌ
定量：使用した脂肪族アルコールにより、炭素数が２または３の脂肪族アルコールを内部標準物質として用い定量した。
【００３０】
［合成１］（触媒の合成）
酸化スカンジュウムを１５Ｎのトリフルオロメタンスルホン酸溶液に、酸化スカンジュウムがスカンジュウムトリフルオロメタンスルホン酸塩（スカンジュウムトリフラート）として溶解するに必要な当量の１．０５倍量を加え、沸点温度１２０℃で２時間溶解し、スカンジュウムトリフラートを得た。このようにして得られた水溶液を、エバポレーターの使用により、温度６０℃、真空度１００トールにて剰余水の低温真空蒸発を行ったところ、１時間程度で白色固形物が得られた。さらに、温度２００℃、真空度１０−１トールにて２４時間高温真空乾燥を行い、スカンジュウムトリフラートの白色粉末を得た後、窒素ガスにて密封した。
原子吸光法で分析したスカンジュームトリフラートの組成は、Ｓｃ：９．２８％、Ｆｅ：６０ｐｐｍ、Ａｌ：１５０ｐｐｍ、Ｓｎ：２１ｐｐｍ、Ｍｎ：１２ｐｐｍ、Ｎｉ：１３ｐｐｍ、Ｃａ：６１ｐｐｍ、Ｍｇ：１０ｐｐｍ、Ｓｉ：１４ｐｐｍであり、スカンジュウムトリフラートとして９９．１％である高純度のスカンジュウムトリフラートが得られた。
【００３１】
［合成例２］（触媒の合成）
実施例１における酸化スカンジュウムを酸化チタンに代え、それ以外は実施例１と同様にして、チタンテトラフラートを得た。原子吸光法で分析したチタンテトラフラートの組成は、Ｔｉ：７．５５％、Ｆｅ：６５ｐｐｍ、Ａｌ：１６８ｐｐｍ、Ｍｎ：１０ｐｐｍ、Ｃｕ：２０ｐｐｍ、Ｎｉ：１１ｐｐｍ、Ｃａ：６２ｐｍ、Ｍｇ：３２ｐｐｍ、Ｓｉ：１４ｐｐｍであり、チタンテトラフラートとして９９．３％である高純度のチタンテトラフラートが得られた。
［実施例１］（脂肪族アルコールアルキレンオキサイド付加物の合成）
撹拌および温度調節機能の付いたガラス製オートクレーブに、ラウリルアルコール１８６部（１モル）、［合成例１］のスカンジュウムトリフラート０．０２部を投入し、混合系内を窒素で置換した後、減圧下（約２０ｍｍＨｇ）、１２０℃にて１時間脱水を行った。次いでＥＯ１３２部（３モル）を１２０℃にて、ゲージ圧が１〜２ｋｇｆ／ｃｍ２となるように導入しながら、１２０℃で３時間反応させた。未反応のＥＯを減圧下で除去した後、生成物に「キョーワード６００（協和化学工業株式会社製）」を３部投入し、９０℃にて触媒を吸着処理後、ろ過により脂肪族アルコールアルキレンオキサイド付加物（Ａ１−１）を得た。このものの分子量分布と未反応脂肪族アルコール量をＧＰＣおよびＧＣにより測定した結果、Ｍｗ／Ｍｎは１．０５、未反応アルコール量は１．５０％、Ｗｅｉｂｕｌｌ分布定数ｃは０．５６であった。
【００３２】
［実施例２］（脂肪族アルコールアルキレンオキサイド付加物の合成）
実施例２と同様にして、ラウリルアルコール１８６部（１モル）、実施例１のスカンジュウムトリフラート０．０２部を投入し、混合系内を窒素で置換した後、減圧下（約２０ｍｍＨｇ）、１２０℃にて１時間脱水を行った。次いでＥＯ３０８部（７モル）を１２０℃にて、ゲージ圧が１〜２ｋｇｆ／ｃｍ２となるように導入しながら、１２０℃で５時間反応させた。反応後、未反応のＥＯを減圧下で除去し、実施例１と同様に吸着処理、ろ過して本発明の脂肪族アルコールアルキレンオキサイド付加物（Ａ１−２）を得た。このものの分子量分布と未反応脂肪族アルコール量をＧＰＣおよびＧＣにより測定した結果、Ｍｗ／Ｍｎは１．０４、未反応アルコール量は０．５８％、Ｗｅｉｂｕｌｌ分布定数ｃは０．５２であった。
【００３３】
［実施例３］（脂肪族アルコールアルキレンオキサイド付加物の合成）
実施例２と同様にして、ラウリルアルコール１８６部（１モル）、実施例１のスカンジュウムトリフラート０．０２部を投入し、混合系内を窒素で置換した後、減圧下（約２０ｍｍＨｇ）、１２０℃にて１時間脱水を行った。次いでＥＯ５２８部（１２モル）を１２０℃にて、ゲージ圧が１〜２ｋｇｆ／ｃｍ２となるように導入しながら、１２０℃で７時間反応させた。反応後、未反応のＥＯを減圧下で除去し、実施例１と同様に吸着処理、ろ過して本発明の脂肪族アルコールアルキレンオキサイド付加物（Ａ１−３）を得た。このものの分子量分布と未反応脂肪族系アルコール量をＧＰＣおよびＧＣにより測定した結果、Ｍｗ／Ｍｎは１．０４、未反応アルコール量は０．２０％、Ｗｅｉｂｕｌｌ分布定数ｃは０．４７であった。
【００３４】
［実施例４］（脂肪族アルコールアルキレンオキサイド付加物の合成）
［実施例１］におけるスカンジュウムトリフラートに代えて、［合成例２］のチタンテトラフラート０．０２部を用い、実施例３と同様にして本発明の脂肪族アルコールアルキレンオキサイド付加物（Ａ１−４）を得た。
このもののＭｗ／Ｍｎは１．０４、未反応アルコール量は１．２５％、Ｗｅｉｂｕｌｌ分布定数ｃは０．４８であった。
【００３５】
［比較例１］（脂肪族アルコールアルキレンオキサイド付加物の合成）
撹拌および温度調節機能の付いたガラス製オートクレーブに、ラウリルアルコール１８６部（１モル）、スカンジュウムトリフラートに代えて過塩素酸アルミニウム９水塩０．０６部を用い、混合系内を窒素で置換した後、減圧下（約２０ｍｍＨｇ）、１２０℃にて１時間脱水を行った。次いでＥＯ１３２部（３モル）を１２０℃にて、ゲージ圧が１〜２ｋｇｆ／ｃｍ２となるように導入ながら、１２０℃で２０時間反応させた。反応後、未反応のＥＯを減圧下で除去し、実施例１と同様に吸着処理、ろ過して脂肪族アルコールアルキレンオキサイド付加物（Ｈ−１）を得た。
（Ｈ−１）の分子量分布と未反応脂肪族アルコール量をＧＰＣおよびＧＣにより測定した結果、Ｍｗ／Ｍｎは１．０５、未反応脂肪族系アルコール量は１．７８％、分布定数ｃの計算値は０．６５であった。
【００３６】
［比較例２］（脂肪族アルコールアルキレンオキサイド付加物の合成）
撹拌および温度調節機能の付いたガラス製オートクレーブに、ラウリルアルコール１８６部（１モル）、水酸化カリウム０．３部を投入し、混合系内を窒素で置換した後、減圧下（約２０ｍｍＨｇ）、１２０℃にて１時間脱水を行った。次いでＥＯ３０８部（７モル）を１２０℃にて、ゲージ圧が１〜３ｋｇｆ／ｃｍ2となるように導入しながら、１２０℃で５時間反応させた。反応後、未反応のＥＯを減圧下で除去し、実施例１と同様に吸着処理、ろ過して脂肪族アルコールアルキレンオキサイド付加物（Ｈ−２）を得た。
このもののＭｗ／Ｍｎは１．３２、未反応脂肪族アルコール量は７．７％、分布定数ｃの計算値は３．２１であった。
【００３７】
［比較例３］（脂肪族アルコールアルキレンオキサイド付加物の合成）
撹拌および温度調節機能の付いたガラス製オートクレーブに、ラウリルアルコール１８６部（１モル）を投入し、系内を窒素で置換した後、減圧下（約２０ｍｍＨｇ）１２０℃にて脱水し、４０℃にて三フッ化ホウ素ジエチルエーテル０．３部を投入し、混合系内を窒素で置換した。次いでＥＯ４４０部（１０モル）を８０℃にて、ゲージ圧が約１ｋｇｆ／ｃｍ2となるように導入しながら、８０℃で８時間反応させた。反応物をアルカリで中和し、脂肪族アルコールアルキレンオキサイド付加物（Ｈ−３）を得た。
このもののＭｗ／Ｍｎは１．１４、未反応脂肪族アルコール量は１．０４％、分布定数ｃの計算値は１．６６であった。また、本比較例では、約８％のポリエチレングリコールの副生が認められた。
【００３８】
結果を表２にまとめて示す。
【表２】
2005305280.tif 000003
【産業上の利用可能性】
【００３９】
脂肪族アルコールとアルキレンオキサイドとのアルコキシ化反応用触媒として有用である。